(57)【要約】【課題】支持台を水平面に対して傾斜した状態に安定よく保持することができるのぼり旗の支持台用傾斜部材を提供する。【解決手段】のぼり旗６のポール７の下端部が差し込まれてのぼり旗６を立設するための支持台１を水平面に対して傾斜した状態に保持するのぼり旗６の支持台用傾斜部材であって、前記支持台１から下方へ突出して地面又は床面に接地する環状の接地部２Ａの一部を受け止めて地面又は床面から持ち上げる受止部１４と、受止部１４に受け止められる接地部２Ａを保持する保持部１５とを備えている。【選択図】  図４
0003195096.tif 000002
【実用新案登録請求の範囲】
【請求項１】
のぼり旗のポールの下端部が差し込まれてのぼり旗を立設するための支持台を水平面に対して傾斜した状態に保持するのぼり旗の支持台用傾斜部材であって、前記支持台から下方へ突出して地面又は床面に接地する環状の接地部の一部を受け止めて地面又は床面から持ち上げる受止部と、該受止部に受け止められる接地部を保持する保持部とを備えていることを特徴とするのぼり旗の支持台用傾斜部材。
【請求項２】
前記保持部が、前記接地部を前記受止部で受け止めた状態において該接地部の内側面に当接すべく上方に突出する内側突出部と、前記接地部を保持した状態において該接地部の外側面に当接すべく上方に突出する外側突出部とを備えていることを特徴とする請求項１に記載ののぼり旗の支持台用傾斜部材。
【請求項３】
前記支持台の外側壁に、内側に凹んだ凹部を備え、前記外側突出部が、前記凹部に入り込んで外周方向における位置決めを行うための位置決め部を更に構成していることを特徴とする請求項２に記載ののぼり旗の支持台用傾斜部材。
【考案の詳細な説明】
【技術分野】
【０００１】
本考案は、のぼり旗のポールの下端部が差し込まれてのぼり旗を立設するための支持台を水平面に対して傾斜した状態に保持するためののぼり旗の支持台用傾斜部材に関する。
【背景技術】
【０００２】
上記のぼり旗は、例えばパチンコ店、スーパーマーケット、ガソリンスタンド等の店頭やイベント会場等で宣伝効果を高める目的で使用される。そして、かかるのぼり旗は、のぼり旗を構成するポールの下端部を支持台に差し込むことによって立設される（例えば、特許文献１参照）。
【先行技術文献】
【特許文献】
【０００３】
【特許文献１】特開平０８−１２３３４７号公報
【考案の概要】
【考案が解決しようとする課題】
【０００４】
上記のぼり旗は、水平方向に対して垂直となる上下姿勢で立設しているが、近年において宣伝効果をより一層高める目的で、上下方向に対して交差する傾斜姿勢でのぼり旗を設置することが多い。この場合、支持台と地面との間に板状のスペーサを挟み込むことによって、支持台を傾斜姿勢にスペーサで支持することが行われている。しかし、この場合、板状のスペーサを支持台と地面との間に単に挟み込んでいるだけであるため、スペーサに対して支持台が移動可能な状態で支持されている。このため、例えばのぼり旗が風の影響を受けることによって支持台が不測に移動して、支持台がスペーサから外れてしまい、支持台を傾斜姿勢に維持することができない場合があり、改善の余地があった。
【０００５】
そこで、本考案は、かかる事情に鑑みてなされたもので、支持台を水平面に対して傾斜した状態に安定よく保持することができるのぼり旗の支持台用傾斜部材を提供することを課題とする。
【課題を解決するための手段】
【０００６】
本考案に係るのぼり旗の支持台用傾斜部材は、のぼり旗のポールの下端部が差し込まれてのぼり旗を立設するための支持台を水平面に対して傾斜した状態に保持するのぼり旗の支持台用傾斜部材であって、前記支持台から下方へ突出して地面又は床面に接地する環状の接地部の一部を受け止めて地面又は床面から持ち上げる受止部と、該受止部に受け止められる接地部を保持する保持部とを備えていることを特徴としている。
【０００７】
本考案によれば、受止部で環状の接地部の一部を受け止めることによって、地面又は床面から接地部の一部を持ち上げて支持台を水平面に対して交差する傾斜姿勢にすることができる。しかも、受止部に受け止められる接地部が、保持部に保持されるので、例えばのぼり旗の支持台が風により移動することがあっても、支持台が保持部に保持された状態で移動するので、支持台を水平面に対して傾斜した状態に常に維持することができる。
【０００８】
また、本考案に係るのぼり旗の支持台用傾斜部材は、前記保持部が、前記接地部を前記受止部で受け止めた状態において該接地部の内側面に当接すべく上方に突出する内側突出部と、前記接地部を保持した状態において該接地部の外側面に当接すべく上方に突出する外側突出部とを備えていてもよい。
【０００９】
上記のように、保持部が内側突出部と外側突出部とを備えることによって、接地部の内側面及び外側面に内側突出部及び外側突出部がそれぞれ当接するから、支持台が保持部に対して内外方向へ移動（位置ずれ）することを確実に阻止することができる。
【００１０】
また、本考案に係るのぼり旗の支持台用傾斜部材は、前記支持台の外側壁に、内側に凹んだ凹部を備え、前記外側突出部が、前記凹部に入り込んで外周方向における位置決めを行うための位置決め部を更に構成していてもよい。
【００１１】
上記のように、外側突出部が、凹部に入り込んで外周方向における位置決めを行うための位置決め部を構成している場合には、支持台に対して支持台用傾斜部材が外周方向に移動（位置ずれ）することを位置決め部で確実に阻止することができる。
【考案の効果】
【００１２】
以上の如く、本考案によれば、受止部と保持部とを備えることによって、支持台を水平面に対して傾斜した状態に安定よく保持することができるのぼり旗の支持台用傾斜部材を提供することができる。
【図面の簡単な説明】
【００１３】
【図１】のぼり旗の支持台の斜視図である。
【図２】のぼり旗の支持台の底面図である。
【図３】のぼり旗の支持台用傾斜部材の斜視図である。
【図４】（ａ）はのぼり旗のポールを支持台に差し込んで垂直姿勢に保持した状態を示す正面図、（ｂ）はのぼり旗を支持台用傾斜部材を用いて傾斜姿勢に保持した状態を示す正面図である。
【図５】図４（ｂ）の支持台及び支持台用傾斜部材を一部断面にした正面図である。
【図６】図４（ｂ）の支持台及び支持台用傾斜部材の側面図である。
【図７】（ａ），（ｂ）はのぼり旗の支持台用傾斜部材の別の形態を示す断面図である。
【考案を実施するための形態】
【００１４】
以下、本考案に係るのぼり旗の支持台用傾斜部材の一実施形態について、図面に基づいて説明する。
【００１５】
まず、図１及び図２に、のぼり旗を支持する支持台１が示されている。この支持台１は、合成樹脂で形成され、内部に水を貯留することができるように内部が中空になっている（図５参照）。また、平面視において略矩形状（正方形）の外形を有する台本体２と、台本体２の上端から上端に向かうほど径が細くなる台形柱状の上端部３とが一体形成されて構成されている。上端部３の４つの角部のうちの特定の角部に、水を支持台１の内部へ注入するための注入口（図示せず）を閉じるキャップ４が装着されている。また、支持台１の中心には、上下方向に貫通する貫通孔５が形成され、この貫通孔５にのぼり旗６のポール７の下端部を差し込むことによって、ポール７が抜けないように保持され、のぼり旗６を立設することができる。
【００１６】
のぼり旗６は、図４（ａ），（ｂ）に示すように、支持台１の貫通孔５（図１及び図２参照）に差し込むポール７と、ポール７の上端に貫通して固定される横棒８と、縦長状の布製又は合成樹脂製あるいは紙製の旗９とから構成されている。旗９の２つの長辺のうちの一方（図４では左側）の長辺にポール７に挿通可能な輪っか状の複数の第１帯体１０が所定間隔置きに取り付けられ、また、旗９の２つの短辺のうちの一方（図４では上側）の短辺に横棒８に挿通可能な輪っか状の第２帯体１１が所定間隔置きに取り付けられている。従って、まず、横棒８がポール７に貫通固定されていない状態で、旗９の第１帯体１０をポール７に挿通させる。この後、横棒８に第２帯体１１を挿通させてから、横棒８の一端をポール７の上端部に形成の貫通孔（図示せず）に貫通し、ポール７の上端にキャップ１２をねじ込むことによって横棒８をポール７に固定することができる。このように構成されたのぼり旗６のポール７の下端を支持台１の貫通孔５に差し込むことによって、のぼり旗６を立設することができる。
【００１７】
支持台１の台本体２の底面の外周縁には、図２に示すように、台本体２から下方へ突出して地面又は床面に接地する環状の接地部２Ａを備えている。この接地部２Ａの内側には、一段高くなった第１平坦部２Ｂを備えている。また、この第１平坦部２Ｂの内側である中央部には、更に一段高くなった第２平坦部２Ｃを備えている。そして、接地部２Ａが後述する支持台用傾斜部材１３の受止部１４に受け止められて支持台１を水平面（地面Ｓ）に対して傾斜した状態に保持することができるようになっている。
【００１８】
のぼり旗の支持台用傾斜部材１３は、図３及び図５並びに図６に示すように、受止部１４と保持部１５とを備える内部中空のブロック状に形成され、合成樹脂材料で一体形成されている。このように、受止部１４及び保持部１５が、合成樹脂材料で一体形成される構成であれば、受止部１４及び保持部１５を別々に形成し、それら形成された複数の部材を一体化する製造作業を必要とする場合に比べて、製造面において有利になる。
【００１９】
受止部１４は、図３及び図５に示すように、支持台１の内外方向内側ほど下方に位置する傾斜面に形成され、支持台１の一部を所定の面積で受け止めることができるように支持台１の周方向に沿って所定の長さを有している。
【００２０】
保持部１５は、接地部２Ａを受止部１４で受け止めた状態において接地部２Ａの内側面に当接すべく上方に突出する内側突出部１５Ａと、接地部２Ａを保持した状態において接地部２Ａの外側面に当接すべく上方に突出する外側突出部１５Ｂとを備えている。内側突出部１５Ａは、受止部１４と同一幅を有するように構成され、外側突出部１５Ｂは、受止部１４よりも狭い幅に構成されている。従って、接地部２Ａを受止部１４で受け止めた状態では、内側突出部１５Ａが接地部２Ａの内側面２ａに当接し、外側突出部１５Ｂが接地部２Ａの外側面２ｂに当接しているので、保持部１５に対して接地部２Ａが移動（位置ずれ）することを確実に阻止することができる。
【００２１】
支持台１の４つの外側壁１Ａ，１Ｂ，１Ｃ，１Ｄのうちの特定の外側壁１Ｂに、内側に凹んだ凹部１６を備えるとともに、凹部１６の上端部に凹部１６を構成する左右側壁１６Ａ，１６Ｂを繋ぐ取っ手１７を備えている。そして、保持部１５の外側突出部１５Ｂが、凹部１６に入り込んで外周方向における位置決めを行うための位置決め部を構成している。このように位置決め部を構成することによって、支持台１に対して支持台用傾斜部材１３が外周方向に移動（位置ずれ）することを位置決め部（外側突出部１５Ｂ）で確実に阻止することができる。
【００２２】
このように構成された支持台用傾斜部材１３を支持台１に装着した場合には、図４（ｂ）及び図５に示すように、支持台１が水平面（地面Ｓ）に対して略２０度（この角度は自由に変更可能であり、例えば１０度〜４０度の範囲内で設定することが好ましい）傾斜させることができる。これによって、図４（ａ）ののぼり旗のポール７を上下方向に沿った垂直姿勢から図４（ｂ）に示すようにポール７の軸線が上下方向と交差する方向となるようにポール７を傾斜させる。具体的には、ポール７が右側に倒れ込む傾斜姿勢へ姿勢変更させる。この傾斜姿勢にすることによって宣伝効果を高めることができる。
【００２３】
尚、本考案は、前記実施形態に限定されるものではなく、本考案の要旨を逸脱しない範囲で種々の変更が可能である。例えばのぼり旗や支持台の具体的構成は、自由に変更することができる。
【００２４】
前記実施形態では、支持台用傾斜部材１３に外側突出部１５Ｂを備えたが、外側突出部１５Ｂを省略して内側突出部１５Ａのみで接地部２Ａを保持する保持部１５を構成したものでもよい。また、外側突出部１５Ｂと内側突出部１５Ａとを全く備えない場合であってもよい。この場合、受止部１４及び接地部２Ａの一方に雄型の面ファスナーを設け、かつ、他方に雄型の面ファスナーに係脱自在な雌型の面ファスナーを設けて実施することになる。この場合の雄雌の面ファスナーが保持部を構成する。また、前記雄雌の面ファスナーに代えて被係止部及び被係止部に係脱自在な係止部の一方を受止部１４に設け、かつ、他方を接地部２Ａに設けて実施することもできる。
【００２５】
また、前記支持台用傾斜部材１３を、図７（ａ），（ｂ）に示すように構成して実施することもできる。つまり、支持台用傾斜部材１３を上下に分離可能な複数（図７では２つを示しているが、３つ以上でもよい）の部材１８，１９から構成してもよい。この場合、上側に位置する上側部材１８に図５で示した受止部１４及び保持部１５を備え、かつ、下面に上方に凹む凹部１８Ａを形成している。また、下側に重ねられる下側部材１９の上面には、前記凹部１８Ａに係止すべく上方に突出する突起１９Ａを形成している。従って、図７（ａ）では、上側部材１８の凹部１８Ａに下側部材１９の突起１９Ａを係止して一体化することによって、図５と同様に、支持台１の水平面（地面Ｓ）に対して略２０度傾斜できる。これに対して、下側部材１９を上側部材１８から取り外した状態を示している。下側部材１９を上側部材１８から取り外すことによって、支持台１の高さが低くなり、その分支持台１の水平面（地面Ｓ）に対する傾斜角度を前記の傾斜角度である略２０度よりも小さな値にすることができる。要するに、支持台用傾斜部材１３を上下に分離可能な複数（図７では２つを示しているが、３つ以上でもよい）の部材１８，１９から構成することによって、支持台１の水平面に対する傾斜角度を変更（調整）することができる利点がある。
【００２６】
また、前記実施形態では、支持台１の外側壁１Ｂに、内側に凹んだ凹部１６を備えたが、凹部１６を備えていない支持台１であってもよい。
【符号の説明】
【００２７】
１…支持台、１Ａ，１Ｂ，１Ｃ，１Ｄ…外側壁、２…台本体、２Ａ…接地部、２Ｂ，２Ｃ…平坦部、２ａ…内側面、２ｂ…外側面、３…上端部、４…キャップ、５…貫通孔、６…のぼり旗、７…ポール、８…横棒、９…旗、１０，１１…帯体、１２…キャップ、１３…支持台用傾斜部材、１４…受止部、１５…保持部、１５Ａ…内側突出部、１５Ｂ…外側突出部、１６…凹部、１６Ａ，１６Ｂ…左右側壁、１７…取っ手、１８…上側部材、１９…下側部材、１８Ａ…凹部、１９Ａ…突起、Ｓ…地面
【図１】
0003195096.tif 000003
【図２】
0003195096.tif 000004
【図３】
0003195096.tif 000005
【図４】
0003195096.tif 000006
【図５】
0003195096.tif 000007
【図６】
0003195096.tif 000008
【図７】
0003195096.tif 000009